(57)【要約】【課題】マナーモード設定の戻し忘れに対して実際必要となる着信を的確に認識させる。【解決手段】携帯電話機へ着信音を鳴動する着信音鳴動制御システムに、着信時に着信音の鳴動を振動にするマナーモードへの設定又は解除を行うマナーモード設定・解除手段201と、マナーモードの解除を確認するためのメール文を保存するマナーモード解除メール文保存手段107Aと、マナーモード設定時に保存されているメール文を参照して遠隔地にある携帯電話機の特定の使用者からメール文を受信したことを確認しマナーモード設定・解除手段に対してマナーモードを解除させるマナーモード解除メール受信手段202と、メールの送信に対して返信がなく通話の呼び出しに対して応答がない場合にはマナーモード解除メール文保存部から遠隔地にある携帯電話機の特定の使用者に対してマナーモード解除のメール文を取り出し送信を行うマナーモード解除メール送信手段203とを備える。【選択図】図３
2009188957.tif 000002
【特許請求の範囲】
【請求項１】
携帯電話機への着信時に着信音を鳴動する着信音鳴動制御システムにおいて、
携帯電話機への着信時に着信音の鳴動を振動にするマナーモードへの設定又は解除を行うマナーモード設定・解除手段と、
マナーモードの解除を確認するためのメール文を保存するマナーモード解除メール文保存手段と、
前記マナーモード設定・解除手段によるマナーモード設定時に前記マナーモード解除メール文保存手段に保存されているメール文を参照して遠隔地にある携帯電話機の特定の使用者からメール文を受信したことを確認し、前記マナーモード設定・解除手段に対してマナーモードを解除させるマナーモード解除メール受信手段と、
メールの送信に対して返信がなく、又は、通話の呼び出しに対して応答がない場合には、前記マナーモード解除メール文保存手段から遠隔地にある携帯電話機の特定の使用者に対して、マナーモード解除のメール文を取り出し送信を行うマナーモード解除メール送信手段とを備えることを特徴とする着信音鳴動制御システム。
【請求項２】
さらに、マナーモード設定確認手段が設けられ、前記マナーモード設定確認手段は特定のキー入力によりマナーモード設定時には長い振動とし、マナーモード解除時には短い連続的な振動でマナーモード設定状態を確認することを特徴とする、請求項１に記載の着信音鳴動制御システム。
【請求項３】
前記マナーモード解除メール受信手段は、遠隔地にある携帯電話機の特定の使用者から同一のメールが連続して複数件を一定時間に受信したことを確認して前記マナーモード設定・解除手段に対してマナーモードを解除させることを特徴とする、請求項１に記載の着信音鳴動制御システム。
【請求項４】
さらに、マナーモード設定メール送信手段を設け、前記マナーモード設定メール送信手段は、前記マナーモード設定・解除手段によるマナーモード設定時に遠隔地にある携帯電話機の特定の使用者にマナーモードを設定した旨、マナーモード設定の月日日時を記載したメール文を送信することを特徴とする、請求項１に記載の着信音鳴動制御システム。
【請求項５】
携帯電話機への着信時に着信音を鳴動する着信音鳴動制御方法において、
マナーモードの解除を確認するためのメール文を保存する工程と、
マナーモード設定時に、保存されているメール文を参照して、遠隔地にある携帯電話機の特定の使用者からメール文を受信したことを確認し、マナーモードを解除する工程と、
メールの送信に対して返信がなく、又は、通話の呼び出しに対して応答がない場合には、遠隔地にある携帯電話機の特定の使用者に対して、保存されているマナーモード解除のメール文を取り出し送信を行う工程とを備えることを特徴とする着信音鳴動制御方法。
【請求項６】
携帯電話機への着信時に着信音を鳴動する着信音鳴動制御プログラムにおいて、
マナーモードの解除を確認するためのメール文を保存する手順と、
マナーモード設定時に、保存されているメール文を参照して、遠隔地にある携帯電話機の特定の使用者からメール文を受信したことを確認し、マナーモードを解除する手順と、
メールの送信に対して返信がなく、又は、通話の呼び出しに対して応答がない場合には、遠隔地にある携帯電話機の特定の使用者に対して、保存されているマナーモード解除のメール文を取り出し送信を行う手順とを備えることを特徴とする着信音鳴動制御プログラム。
【請求項７】
着信時に着信音を鳴動する着信音鳴動制御を行う携帯電話機において、
携帯電話機への着信時に着信音の鳴動を振動にするマナーモードへの設定又は解除を行うマナーモード設定・解除手段と、
マナーモードの解除を確認するためのメール文を保存するマナーモード解除メール文保存手段と、
前記マナーモード設定・解除手段によるマナーモード設定時に前記マナーモード解除メール文保存手段に保存されているメール文を参照して遠隔地にある携帯電話機の特定の使用者からメール文を受信したことを確認し、前記マナーモード設定・解除手段に対してマナーモードを解除させるマナーモード解除メール受信手段と、
メールの送信に対して返信がなく、又は、通話の呼び出しに対して応答がない場合には、前記マナーモード解除メール文保存手段から遠隔地にある携帯電話機の特定の使用者に対して、マナーモード解除のメール文を取り出し送信を行うマナーモード解除メール送信手段とを備えることを特徴とする携帯電話機。
【発明の詳細な説明】
【技術分野】
【０００１】
本発明は着信音鳴動機能を有する携帯電話機に関する。特に、本発明は、マナーモードの設定解除を的確に可能にする着信音鳴動制御システム、方法、プログラム及び携帯電話機に関する。
【背景技術】
【０００２】
近年、公共の場などで、電話の着信時に着信音の鳴動が好ましくない、ないしは許可されていない場合に、一般的な設定として振動設定等を用いたマナーモード（通称）を用いて設定するのが一般的である。
しかしながら、マナーモード設定を通常の着信音の鳴動に戻すことは、使用者の操作によって行われている。その結果として、戻し忘れなどにより、その後に実際必要となる着信を的確に認識することができない等の問題がある。
【０００３】
また、着信を制御できるのは実際に使用する使用者に限られているために、緊急時などの連絡には不便が発生することが予想される。
このような着信音の鳴動、振動設定、マナーモード等に関連して以下のような従来技術がある。
従来、着信を受けることができる状態になった時に設定解除を忘れても着信を可能とし、設定期間中の着信をその解除後に受けられ、急用の場合にも対処可能なマナーモード設定の自動解除方法を提供するため、マナーモードが設定状態である場合、マナーモード中の着信処理にて自動応答開始タイマを開始され、着信音を鳴動させずに表示画面及びＬＥＤの発光によって着信を知らせ、自動応答開始タイマがタイムアウトした場合、マナーモードが解除されるまでの時間とマナーモード中であることとを伝える音声メッセージを送出する自動応答開始タイマのタイムアウト処理が行われ、マナーモード解除タイマがタイムアウトした場合にはマナーモード解除が行われ、以後の着信時には鳴動音を鳴動させて着信者に着信を知らせるものがある（例えば、特許文献１参照）。
【０００４】
しかしながら、上記特許文献１では、タイムアウトした場合にはマナーモード解除が行われるが、タイムアウトが必要以上に長い場合には戻し忘れの問題が生じる。
また、従来、携帯電話等の端末装置の管理者にとって、着信音に対する高揚感を高め、新たな産業形態を確立する接続確立方法、接続確立システム、端末装置、及びコンピュータプログラムを提供するため、第１端末装置及び第２端末装置間で電話通信を行うべく接続を確立する場合に、着信側の第２端末装置とデータ通信を行うことが可能な中央装置に音声情報を記録しておき、発信側の第１端末装置にて音声情報を指定した指定情報を含む呼出信号を第２端末装置へ送信し、第２端末装置では受信した呼出信号に含まれている指定情報を検出したときに、設定している着信音を出力せずに指定情報にて指定された音声情報を中央装置から受信し、受信した音声情報を着信音として出力するものもある（例えば、特許文献２参照）。
【０００５】
しかしながら、上記特許文献２では、着信音に対する高揚感を高めるが、マナーモードの設定に対する戻し忘れを防止するものではない。
また、従来、入力操作として携帯電話装置が叩かれたときの振動であるか否かを判断し、複数の動作制御を確実に行うことを可能とした振動検出機能付き携帯電話装置の提供を目的とするため、携帯電話装置は、アンテナと、無線部と、制御部と、操作部と、表示部と、スピーカと、バイブレータと、マイクと、振動検出部と、振動信号を入力して基準振動信号として保存し、該基準振動信号のあとに入力した振動信号を該基準振動信号にもとづいて入力操作により加えられた振動信号か否かを判断し、入力操作による振動信号であると判断したときに振動制御信号を作成して出力する振動制御部とで構成してあるものもある（例えば、特許文献３参照）。
【０００６】
しかしながら、上記特許文献３では、入力操作として携帯電話装置が叩かれたときの振動であるか否かを判断し、複数の動作制御を確実に行うものであり、マナーモードの設定に対する戻し忘れを防止するものではない。
また、従来、携帯電話端末の利用マナーを考慮した着信設定を適用するため、サーバ（30）は、第１のモードと該モードに付与された複数の適用条件との対応関係を示す情報テーブルを保持するデータベースと、携帯電話端末の利用状況を各適用条件と照合する照合部と、該照合部の照合結果に基づき携帯電話端末に適用すべき着信設定を判定する判定部と、該判定部による判定結果を携帯電話端末へ通知する通知部とを備え、携帯電話端末は、当該端末の利用状況を検知する検知部と、該検知部の検知結果をサーバへ通知する通知部と、サーバからの判定結果に対応した着信設定を当該端末に適用する設定処理部とを備えるものもある（例えば、特許文献４参照）。
【０００７】
しかしながら、上記特許文献４では、携帯電話端末の利用マナーを考慮した着信設定を適用するものであるが、マナーモードの設定に対する戻し忘れを防止するものではない。
【０００８】
【特許文献１】特開２０００−２０９３１０号公報
【特許文献２】特開２００２−２９０５５８号公報
【特許文献３】特開２００３−２２９９３０号公報
【特許文献４】特開２００５−０９４６４７号公報
【発明の開示】
【発明が解決しようとする課題】
【０００９】
したがって、本発明は上記問題点に鑑みて、マナーモード設定の戻し忘れなどにより、その後に実際必要となる着信を的確に認識することを可能にする着信音鳴動制御システム、方法、プログラム及び携帯電話機を提供することを目的とする。
【課題を解決するための手段】
【００１０】
本発明は前記問題点を解決するために、携帯電話機への着信時に着信音を鳴動する着信音鳴動制御システムにおいて、携帯電話機への着信時に着信音の鳴動を振動にするマナーモードへの設定又は解除を行うマナーモード設定・解除手段と、マナーモードの解除を確認するためのメール文を保存するマナーモード解除メール文保存手段と、前記マナーモード設定・解除手段によるマナーモード設定時に前記マナーモード解除メール文保存手段に保存されているメール文を参照して遠隔地にある携帯電話機の特定の使用者からメール文を受信したことを確認し、前記マナーモード設定・解除手段に対してマナーモードを解除させるマナーモード解除メール受信手段と、メールの送信に対して返信がなく、又は、通話の呼び出しに対して応答がない場合には、前記マナーモード解除メール文保存手段から遠隔地にある携帯電話機の特定の使用者に対して、マナーモード解除のメール文を取り出し送信を行うマナーモード解除メール送信手段とを備えることを特徴とする着信音鳴動制御システムを提供する。
【００１１】
さらに、マナーモード設定確認手段が設けられ、前記マナーモード設定確認手段は特定のキー入力によりマナーモード設定時には長い振動とし、マナーモード解除時には短い連続的な振動でマナーモード設定状態を確認する。
さらに、前記マナーモード解除メール受信手段は、遠隔地にある携帯電話機の特定の使用者から同一のメールが連続して複数件を一定時間に受信したことを確認して前記マナーモード設定・解除手段に対してマナーモードを解除させる。
【００１２】
さらに、マナーモード設定メール送信手段を設け、前記マナーモード設定メール送信手段は、前記マナーモード設定・解除手段によるマナーモード設定時に遠隔地にある携帯電話機の特定の使用者にマナーモードを設定した旨、マナーモード設定の月日日時を記載したメール文を送信する。
さらに、本発明は、携帯電話機への着信時に着信音を鳴動する着信音鳴動制御方法において、マナーモードの解除を確認するためのメール文を保存する工程と、マナーモード設定時に、保存されているメール文を参照して、遠隔地にある携帯電話機の特定の使用者からメール文を受信したことを確認し、マナーモードを解除する工程と、メールの送信に対して返信がなく、又は、通話の呼び出しに対して応答がない場合には、遠隔地にある携帯電話機の特定の使用者に対して、保存されているマナーモード解除のメール文を取り出し送信を行う工程とを備えることを特徴とする着信音鳴動制御方法を提供する。
【００１３】
さらに、本発明は、携帯電話機への着信時に着信音を鳴動する着信音鳴動制御プログラムにおいて、マナーモードの解除を確認するためのメール文を保存する手順と、マナーモード設定時に、保存されているメール文を参照して、遠隔地にある携帯電話機の特定の使用者からメール文を受信したことを確認し、マナーモードを解除する手順と、メールの送信に対して返信がなく、又は、通話の呼び出しに対して応答がない場合には、遠隔地にある携帯電話機の特定の使用者に対して、保存されているマナーモード解除のメール文を取り出し送信を行う手順とを備えることを特徴とする着信音鳴動制御プログラムを提供する。
【００１４】
さらに、本発明は、着信時に着信音を鳴動する着信音鳴動制御を行う携帯電話機において、携帯電話機への着信時に着信音の鳴動を振動にするマナーモードへの設定又は解除を行うマナーモード設定・解除手段と、マナーモードの解除を確認するためのメール文を保存するマナーモード解除メール文保存手段と、前記マナーモード設定・解除手段によるマナーモード設定時に前記マナーモード解除メール文保存手段に保存されているメール文を参照して遠隔地にある携帯電話機の特定の使用者からメール文を受信したことを確認し、前記マナーモード設定・解除手段に対してマナーモードを解除させるマナーモード解除メール受信手段と、メールの送信に対して返信がなく、又は、通話の呼び出しに対して応答がない場合には、前記マナーモード解除メール文保存手段から遠隔地にある携帯電話機の特定の使用者に対して、マナーモード解除のメール文を取り出し送信を行うマナーモード解除メール送信手段とを備えることを特徴とする携帯電話機を提供する。
【発明の効果】
【００１５】
以上説明したように、本発明によれば、マナーモードの解除を確認するためのメール文を保存し、マナーモード設定時に、保存されているメール文を参照して、遠隔地にある携帯電話機の特定の使用者からメール文を受信したことを確認し、マナーモードを解除し、メールの送信に対して返信がなく、又は、通話の呼び出しに対して応答がない場合には、遠隔地にある携帯電話機の特定の使用者に対して、保存されているマナーモード解除のメール文を取り出し送信を行うようにしたので、マナーモードの解除忘れの携帯電話機に対して遠隔地にある携帯電話機からマナーモードの解除をすることが可能になり、マナーモードの戻し忘れによる着信の認知ミスを防止でき、緊急時の連絡を速やかに行うことが可能となる。このようにして、マナーモード設定の戻し忘れなどにより、その後に実際必要となる着信を的確に認識することが可能となる。
【００１６】
さらに、本発明によれば、マナーモード解除メール文保存部への長期保存量を低減し、使用者は簡易な情報でマナーモード設定、解除の状態を確認可能となり、使用者に対してマナーモード解除のメール送信の予定が立つようになる。
【発明を実施するための最良の形態】
【００１７】
以下、本発明の実施の形態について図面を参照して説明する。
図１は本発明に係る着信音鳴動制御システムの概略構成を示すブロック図である。本図に示すように、着信音鳴動制御システム１００は基地局１２０を介してマナーモードが設定されている携帯電話機１０１に対して遠隔地にある携帯電話機１０１からの特定のメール受信によりマナーモードの設定を解除する動作をプログラムで実行する。
【００１８】
携帯電話機１０１には無線部１０２が設けられ、無線部１０２は基地局１２０を介して通話、通信を行う機能を有する。
無線部１０２には制御部１１１が接続され、制御部１１１は携帯電話機１０１の全体の制御を行う。
制御部１１１には受話部１０３及び送話部１０４が接続され、受話部１０３及び送話部１０４は通話を行う機能を有する。
【００１９】
制御部１１１にはキー操作部１０５が接続され、キー操作部１０５はキー入力により携帯電話機１０１の操作を行う機能を有する。
制御部１１１には表示部１０６が接続され、表示部１０６はＬＣＤ（液晶表示部）等で構成され、操作、機能、データ等の表示を行い、特に、メール文を表示する機能を有する。
【００２０】
制御部１１１にはメモリ１０７が接続され、メモリ１０７はプログラム、データ等を格納し、特に、メモリ１０７にはマナーモード解除メール文保存部１０７Ａが設けられ、マナーモード解除メール文保存部１０７Ａは、マナーモード解除を判断するための受信メール文、送信メール文を保存する。
制御部１１１には着信音鳴動スピーカ１０８が接続され、着信音鳴動スピーカ１０８はスピーカで構成され、通話、メールの着信音を鳴動し、特に、マナーモード設定時には鳴動が停止する機能を有する。
【００２１】
制御部１１１にはバイブレータ１０９が接続され、バイブレータ１０９は通話、メールの着信時に振動を生成し、特に、マナーモード設定時には着信時に振動を生成する機能を有する。
制御部１１１にはタイマー１１０が接続され、タイマー１１０は、月日時分の時刻表示等の他に、特に、後述するマナーモードの設定のメール送信文に使用される。
さらに、制御部１１１には着信音鳴動制御部１１１Ａが設けられ、着信音鳴動制御部１１１Ａは通話、メールの着信時に着信音の鳴動を制御し、さらに、マナーモードの設定、解除の制御を行う。
【００２２】
図２は図１におけるメモリ１０７のマナーモード解除メール文保存部１０７Ａに保存される内容を説明する図である。本図（ａ）に示すように、例えば、携帯電話機の所有者である使用者Ｘと遠隔地にあり特定の関係がある携帯電話機１０１の所有者である複数の特定の使用者Ａ、Ｂ及びＣの間で、使用者Ｘは、複数の特定の使用者Ａ、Ｂ及びＣから、例えば、「Ｘさんのマナーモードを解除して下さい。」とのメール文を受信する。
【００２３】
前述の説明を参考にして、本図（ｂ）に示すように、使用者Ｘの携帯電話機１０１のマナーモード解除メール文保存部１０７Ａは、マナーモード解除受信メール文として、複数の特定の使用者Ａ、Ｂ及びＣの各々を送信元として、「Ｘさんのマナーモードを解除して下さい。」とのメール文を保存する。
以上の説明では、使用者Ｘを中心にして説明したが、本図（ａ）に示すように、複数の特定の使用者Ａ、Ｂ及びＣの各々を中心とした場合、使用者Ｘは複数の特定の使用者Ａ、Ｂ及びＣに、「Ａさんのマナーモードを解除して下さい。」、「Ｂさんのマナーモードを解除して下さい。」、「Ｃさんのマナーモードを解除して下さい。」とのメール文をそれぞれ送信する。
【００２４】
前述の説明を参考にして、本図（ｃ）に示すように、使用者Ｘの携帯電話機１０１のマナーモード解除メール文保存部１０７Ａは、マナーモード解除送信メール文として、複数の特定の使用者Ａ、Ｂ及びＣの各々を送信先として、「Ａさんのマナーモードを解除して下さい。」、「Ｂさんのマナーモードを解除して下さい。」及び「Ｃさんのマナーモードを解除して下さい。」とのメール文をそれぞれ保存する。
【００２５】
これらの受信メール文、送信メール文は通常の使用範囲では発生する頻度が極めて低い内容であるとする。
図３は図１における制御部１１１の着信音鳴動制御部１１１Ａの概略構成を示すブロック図である。本図に示すように、着信音鳴動制御部１１１Ａにはマナーモード設定・解除手段２０１が設けられ、マナーモード設定・解除手段２０１は、例えば、電車に乗車中には、キー操作部１０５の操作により、通話、メールの着信時に着信音鳴動スピーカ１０８から着信音を鳴動するのを停止させ、バイブレータ１０９に振動を発生させ、着信を知らせるマナーモードの設定を行う機能を有し、かつ、キー操作部１０５の操作により既に設定したマナーモード設定の解除を行う機能を有し、特に、後述するように、要求に応じて既に設定したマナーモード設定の解除を行う機能を有する。
【００２６】
さらに、着信音鳴動制御部１１１Ａにはマナーモード解除メール受信手段２０２が設けられ、マナーモード解除メール受信手段２０２はマナーモード設定時にメモリ１０７のマナーモード解除メール文保存部１０７Ａに予め登録されている複数の特定の使用者からマナーモード解除を要求するメールを受信する。
なお、登録した複数の特定の使用者である同一の送信者から同一のメールを連続して複数件（３件等）を一定時間（１分）以内に受信した場合には、特定の使用者からマナーモード解除を要求するメールとして受信するようにしてもよい。この場合、必ずしも、マナーモード解除メール文保存部１０７Ａに登録されているメール文と同一でなくてもよい。これにより、マナーモード解除メール文保存部１０７Ａへの長期保存量が低減する。
【００２７】
さらに、着信音鳴動制御部１１１Ａにはマナーモード解除メール送信手段２０３が設けられ、マナーモード解除メール送信手段２０３は特定の使用者の携帯電話機１０１に対してマナーモードの解除を要求するメールを送信する。
さらに、着信音鳴動制御部１１１Ａにはマナーモード設定確認手段２０４が設けられ、マナーモード設定確認手段２０４はキー操作部１０５からの特定のキー入力により現在のマナーモードの設定状態に応じて、バイブレータ１０９の振動を介して使用者に通知する。例えば、バイブレータ１０９の短い連続的な振動の場合にはマナーモードが解除された時、すなわち、通常の着信音を鳴動する設定の状態とし、バイブレータ１０９の長い振動の場合にはマナーモードが設定された時、すなわち、着信音の鳴動を停止した状態とする。キー操作部１０５からの特定のキー入力として、特定のキーを連続短押下３回などがある。さらに、本機能を実現するための専用のボタンの場合には、１回の短押下も可能となる。これにより、使用者は簡易な情報でマナーモード設定、解除の状態を確認することが可能となる。
【００２８】
図４は図３における着信音鳴動制御部１１１Ａの一連の動作例を説明するフローチャートである。本図に示すように、ステップＳ３０１において、着信音鳴動制御部１１１Ａのマナーモード設定・解除手段２０１により携帯電話機１０１がマナーモードに設定されたとする。
ステップＳ３０２において、着信音鳴動制御部１１１Ａではキー操作部１０５からの要求に応じてマナーモード設定確認手段２０４によりマナーモード設定を確認する制御を行う。
【００２９】
ステップＳ３０３において、着信音鳴動制御部１１１Ａではマナーモード設定・解除手段２０１によりマナーモードが解除されたか否かを確認する制御を行う。マナーモードが解除されている場合には処理を終了する。
ステップＳ３０４において、着信音鳴動制御部１１１Ａでは、マナーモードが解除されていない場合には、メール受信時にマナーモード解除メール受信手段２０２によりマナーモード解除メール文保存部１０７Ａを参照して遠隔地の特定の使用者からマナーモード解除のメール文を受信したか否かを確認する制御を行う。特定の使用者からマナーモード解除のメールを受信していないが場合にはステップＳ３０２に戻り、上記処理を繰り返す。
【００３０】
ステップＳ３０５において、着信音鳴動制御部１１１Ａでは、特定の使用者からマナーモード解除のメールを受信している場合にはマナーモード設定・解除手段２０１に対してマナーモードを解除する制御を行い、処理を終了する。
図５は図３における着信音鳴動制御部１１１Ａの一連の他の動作例を説明するフローチャートである。本図に示すように、ステップＳ３１１において、着信音鳴動制御部１１１Ａでは遠隔地にある特定の使用者からメール送信が行われたことを確認する。
【００３１】
ステップＳ３１２において、着信音鳴動制御部１１１Ａではメール送信に対してメール返信があるか否かを確認する。メール返信がある場合には処理を終了する。
ステップＳ３１３において、着信音鳴動制御部１１１Ａでは、メール返信がマナーモード解除メール送信手段２０３によりマナーモード解除メール文保存部１０７Ａから「特定使用者のマナーモードを解除して下さい。」とのメール文を取り出し表示部１０６に表示し遠隔地の特定の使用者に送信する制御を行い、処理を終了する。
【００３２】
ステップＳ３１４において、着信音鳴動制御部１１１Ａでは遠隔地にある特定の使用者から通話を行うために呼び出しが行われたことを確認する。
ステップＳ３１５において、着信音鳴動制御部１１１Ａではマナーモード解除メール送信手段２０３により特定の使用者が応答したか否かを確認する制御を行い、特定の使用者が応答した場合には処理を終了し、応答しない場合にはステップＳ３１３に進む。
【００３３】
したがって、本発明によれば、マナーモードの解除忘れの携帯電話機１０１に対して遠隔地にある携帯電話機１０１からマナーモードの解除をすることが可能になり、マナーモードの戻し忘れによる着信の認知ミスを防止でき、緊急時の連絡を速やかに行うことが可能となる。このようにして、マナーモード設定の戻し忘れなどにより、その後に実際必要となる着信を的確に認識することが可能となる。
【実施例１】
【００３４】
図６は図３の変形例であり、制御部１１１の着信音鳴動制御部１１１Ａの概略構成を示すブロック図である。本図に示すように、図３と比較して、着信音鳴動制御部１１１Ａにはマナーモード設定メール送信手段２０５が設けられ、マナーモード設定メール送信手段２０５はマナーモード設定・解除手段２０１によるマナーモード設定時に特定の使用者にマナーモード設定のメール文を、設定時刻と共に送信する。
【００３５】
図７は図１のメモリ１０７のマナーモード解除メール文保存部１０７Ａに保存されるマナーモード設定送信メールの例を示す図である。本図に示すように、マナーモード解除メール文保存部１０７Ａには特定の使用者Ａ、Ｂ及びＣを送信先として、「Ｘは△△月△△日△△時△△分にマナーモードを設定しました。」というメール文が保存される。
図８は図６における着信音鳴動制御部１１１Ａの一連の動作例を説明するフローチャートである。本図に示すように、ステップＳ３２１において、着信音鳴動制御部１１１Ａのマナーモード設定・解除手段２０１により携帯電話機１０１がマナーモードに設定されたとする。
【００３６】
ステップＳ３２２において、遠隔地の特定の使用者にマナーモード設定メールを送信する。この場合、図７に示すマナーモード解除メール文保存部１０７Ａに保存されている送信メール文「Ｘは△△月△△日△△時△△分にマナーモードを設定しました。」を取り出し、図１のタイマー１１０から月日時分のデータを取り出し、送信メール文の「△△月△△日△△時△△分」に月日時分をはめ込み記載し表示部１０６に表示する。
【００３７】
以下ステップＳ３２３〜ステップＳ３２６は図４のステップＳ３０２〜ステップＳ３０５と同様であるので説明を省略する。
このようにして、本発明によれば、遠隔地にある複数の特定の使用者Ａ、Ｂ及びＣは使用者Ｘが何時にマナーモードを設定したか明確になるので、使用者Ｘに対してマナーモード解除のメール送信の予定が立つ。
【産業上の利用可能性】
【００３８】
以上、携帯電話機について説明したが、これに限らず、ＰＨＳ（簡易型携帯電話機）、ＰＤＡ（携帯端末装置）等にも本発明の利用が可能である。
【図面の簡単な説明】
【００３９】
【図１】本発明に係る着信音鳴動制御システムの概略構成を示すブロック図である。
【図２】図１におけるメモリ１０７のマナーモード解除メール文保存部１０７Ａに保存される内容を説明する図である。
【図３】図１における制御部１１１の着信音鳴動制御部１１１Ａの概略構成を示すブロック図である。
【図４】図３における着信音鳴動制御部１１１Ａの一連の動作例を説明するフローチャートである。
【図５】図３における着信音鳴動制御部１１１Ａの一連の他の動作例を説明するフローチャートである。
【図６】図３の変形例であり、制御部１１１の着信音鳴動制御部１１１Ａの概略構成を示すブロック図である。
【図７】図１のメモリ１０７のマナーモード解除メール文保存部１０７Ａに保存されるマナーモード設定送信メールの例を示す図である。
【図８】図３における着信音鳴動制御部１１１Ａの一連の動作例を説明するフローチャートである。
【符号の説明】
【００４０】
１００…着信音鳴動制御システム
１０１…携帯電話機
１０２…無線部
１０３…受話部
１０４…送話部
１０５…キー操作部
１０６…表示部
１０７…メモリ
１０７Ａ…マナーモード解除メール文保存部
１０８…着信音鳴動スピーカ
１０９…バイブレータ
１１０…タイマー
１１１…制御部
１１１Ａ…着信音鳴動制御部
１２０…基地局
２０１…マナーモード設定・解除手段
２０２…マナーモード解除メール受信手段
２０３…マナーモード解除メール送信手段
２０４…マナーモード設定確認手段
２０５…マナーモード設定メール送信手段
【図１】
2009188957.tif 000003
【図２】
2009188957.tif 000004
【図３】
2009188957.tif 000005
【図４】
2009188957.tif 000006
【図５】
2009188957.tif 000007
【図６】
2009188957.tif 000008
【図７】
2009188957.tif 000009
【図８】
2009188957.tif 000010